(57)【特許請求の範囲】
【請求項１】
開封用摘まみ突片を有し、アルミニウム箔の一方の面に接着層を介して該接着層と隣接する紙層を少なくとも有する表面層を設けると共にアルミニウム箔の他方の面に熱接着層を設けた蓋材と、一方に開口部を有し、該開口部の上縁の表出面に熱接着性樹脂層を設けた有底状の容器本体とからなり、該容器本体の開口部の上縁を熱接着部として前記容器本体に前記蓋材を熱接着した容器において、前記蓋材の熱接着層が前記アルミニウム箔の他方の面全面に設けられた熱接着性樹脂層と前記開封用摘まみ突片を含んで前記開封用摘まみ突片の両立ち上がり部近傍を両端縁とする帯状に該熱接着性樹脂層上に部分的に設けられた易剥離性熱接着性樹脂層とからなり、かつ、前記蓋材の表面層に前記易剥離性熱接着性接着層の一方の端縁の外側の前記蓋材の外周縁から前記熱接着部を乗り越えて前記開口部側へ至って、さらに前記易剥離性熱接着性接着層の一方の端縁を横切り、次に前記易剥離性熱接着性接着層の他方の端縁を横切ると共に前記熱接着部を乗り越えて前記易剥離性熱接着性接着層の他方の端縁の外側の前記蓋材の外周縁に戻る切刃が設けられており、前記蓋材を前記開封用摘まみ突片を摘んで開封すると、前記熱接着部の前記易剥離性熱接着性接着層を設けた部分から剥離が開始され、前記易剥離性熱接着性接着層の両端縁の前記蓋材の外周縁に切目が入り、該切目は前記切刃に達し該切刃に沿って前記蓋材が切り取られ取り出し口が形成されることを特徴とする容器。
【請求項２】
前記蓋材の易剥離性熱接着性接着層の両端縁、ないし、該両端縁の両内側近傍の前記蓋材の外周縁に切目ないし切欠が形成されていることを特徴とする請求項１記載の容器。
【請求項３】
前記蓋材の易剥離性熱接着性接着層を設けた以外の前記熱接着性樹脂層上の前記開封用摘まみ突片側の前記易剥離性熱接着性接着層の両端縁外側近傍の前記熱接着部を除く領域に前記易剥離性熱接着性接着層が散点状に設けられていることを特徴とする請求項１、２のいずれかに記載の容器。
【発明の詳細な説明】
【０００１】
【発明の属する技術分野】
本発明は、スナック食品等の内容物を収納する容器に関し、さらに詳しくは、内容物に合った適度の大きさの開口を容易に形成することができる蓋材を備えた容器に関するものである。
【０００２】
【従来の技術】
従来、円形状や棒状に成型されたポテトチップ、えびせん等に代表されるスナック食品は、美麗な印刷が施されたピロータイプやガセットタイプなどの各種包装袋、あるいは、各種形状の容器等に収納されて販売されている。そして、これらのスナック食品を購入して食する場合、最初に包装袋を開封するなり、また、容器の蓋を開封するなりしてスナック食品を取り出すための取り出し口を設け、この取り出し口から手指でスナック食品を摘んで取り出すと共に、口に運んで食する。
【０００３】
ところで、スナック食品を食する世代としては、１８歳以下、特に小学生以下の子供が主である。スナック食品は、食される時まで、包装袋や容器に収納されているために極めて衛生的である反面、スナック食品を食する時は、手指で摘んで食するために、食する際には手指を十分に洗ってから食せばよいが、子供の場合には、手指を洗うことなく汚れた手指でスナック食品を摘んで食する場合が往々にしてあり、スナック食品そのものは衛生的であっても、汚れた手指でスナック食品を摘んで食することにより、結果として不衛生なものとなる。
【０００４】
さらに、スナック食品を手指で摘んで食するために、スナック食品に含まれる油や食塩等が手指に付着して手指が汚れる。この汚れを除去するために、たとえば、衣類等で拭くことになり、衣類を汚すと共に、清潔さが損なわれるといった問題も生じる。
【０００５】
【発明が解決しようとする課題】
そこで本発明は、上記問題点に鑑みてなされたものであり、その目的とするところは、内容物を手指で触ることなく直接に口の中に投入することができるように適度の大きさの開口を容易に形成することができる蓋材を備えた容器を提供することにある。
【０００６】
【課題を解決するための手段】
本発明者等は、上記目的を達成するために、請求項１記載の発明の容器は、開封用摘まみ突片を有し、アルミニウム箔の一方の面に接着層を介して該接着層と隣接する紙層を少なくとも有する表面層を設けると共にアルミニウム箔の他方の面に熱接着層を設けた蓋材と、一方に開口部を有し、該開口部の上縁の表出面に熱接着性樹脂層を設けた有底状の容器本体とからなり、該容器本体の開口部の上縁を熱接着部として前記容器本体に前記蓋材を熱接着した容器において、前記蓋材の熱接着層が前記アルミニウム箔の他方の面全面に設けられた熱接着性樹脂層と前記開封用摘まみ突片を含んで前記開封用摘まみ突片の両立ち上がり部近傍を両端縁とする帯状に該熱接着性樹脂層上に部分的に設けられた易剥離性熱接着性樹脂層とからなり、かつ、前記蓋材の表面層に前記易剥離性熱接着性接着層の一方の端縁の外側の前記蓋材の外周縁から前記熱接着部を乗り越えて前記開口部側へ至って、さらに前記易剥離性熱接着性接着層の一方の端縁を横切り、次に前記易剥離性熱接着性接着層の他方の端縁を横切ると共に前記熱接着部を乗り越えて前記易剥離性熱接着性接着層の他方の端縁の外側の前記蓋材の外周縁に戻る切刃が設けられており、前記蓋材を前記開封用摘まみ突片を摘んで開封すると、前記熱接着部の前記易剥離性熱接着性接着層を設けた部分から剥離が開始され、前記易剥離性熱接着性接着層の両端縁の前記蓋材の外周縁に切目が入り、該切目は前記切刃に達し該切刃に沿って前記蓋材が切り取られ取り出し口が形成されることを特徴とするものである。このように構成することにより、開封用摘まみ突片を手指で摘んで捲り上げると、易剥離性熱接着性接着層のある熱接着部が剥離すると共に、易剥離性熱接着性接着層の両端縁の蓋材の両外周縁に剥離方向への切目が入り、さらに捲り上げると、切刃の形状に開封用摘まみ突片を含む蓋材が切り取られ、蓋材に内容物を取り出すための適当な大きさの取り出し口が形成される。
【０００７】
また、請求項２記載の発明は、請求項１記載の容器において、前記蓋材の易剥離性熱接着性接着層の両端縁、ないし、該両端縁の両内側近傍の前記蓋材の外周縁に切目ないし切欠が形成されていることを特徴とするものである。このように構成することにより、開封用摘まみ突片を手指で摘んで捲り上げることにより、この切目ないし切欠を設けた箇所から確実に切れ始めるために一層容易に内容物を取り出す取り出し口を設けることができる。
【０００８】
また、請求項３記載の発明は、請求項１、２のいずれかに記載の容器において、前記蓋材の易剥離性熱接着性接着層を設けた以外の前記熱接着性樹脂層上の前記開封用摘まみ突片側の前記易剥離性熱接着性接着層の両端縁外側近傍の前記熱接着部を除く領域に前記易剥離性熱接着性接着層が散点状に設けられていることを特徴とするものである。このように構成することにより、蓋材を束状にしても、偏肉のない束を得ることができ、蓋材を容器本体にスムーズに供給することができる。
【０００９】
【発明の実施の形態】
上記の本発明について、具体的な実施形態を図面等を用いて以下に更に詳しく説明する。
図１は本発明にかかる容器の一実施例を示す概略斜視図、図２は本発明にかかる容器に用いる蓋材の層構成図、図３は本発明にかかる容器に用いる蓋材の裏側から見た平面図、図４は図１を蓋側から見た図、図５は本発明にかかる容器の使用時の説明図、図６は本発明にかかる容器に用いる容器本体の一実施例を示す断面図であり、図中の１は蓋材、２は表面層、３は接着層、４はアルミニウム箔、５は熱接着層、６は切刃、11は開封用摘まみ突片、12は取り出し口、51は熱接着性樹脂層、52は易剥離性熱接着性接着層、60は容器、61は容器本体、62はカールフランジ部、70は熱接着部をそれぞれ示す。
【００１０】
図１は本発明の容器の一実施例を示す概略斜視図であって、容器60は、一方に円形状の開口部を有する断面略逆台形状の容器本体61と、該容器本体61の開口部とほぼ同じ外形を有し、開封用摘まみ突片11が突設された蓋材１とからなり、前記容器本体61の開口部の上縁で前記蓋材１が熱接着されたものである。
【００１１】
前記蓋材１は、図２に示すように、アルミニウム箔４の一方の面に接着層３を介して接着層３と隣接する紙層を少なくとも有する表面層２が設けられると共に前記アルミニウム箔４の他方の面に熱接着層５を設けた層構成からなり、さらに、前記熱接着層５は図３に示すように、熱接着性樹脂層51と該熱接着性樹脂層51上に前記開封用摘まみ突片11を含んで前記開封用摘まみ突片11の両立ち上がり部近傍を両端縁52ｈ、52ｋとする帯状に設けられた易剥離性熱接着性接着層52を有する構成となっている。
【００１２】
図４は図１を蓋側から見た図であって、容器60は容器本体61（図示せず）の開口部の上縁の熱接着部70で容器本体61（図示せず）の開口部の上縁の表出面に設けられた熱接着樹脂層と蓋材１の熱接着性樹脂層51と該熱接着性樹脂層51上に設けられた易剥離性熱接着性接着層52とからなる熱接着層５とが熱接着されて密封されている。
【００１３】
また、前記蓋材１の表面層２には前記易剥離性熱接着性接着層52の一方の端縁52ｈの外側の前記蓋材の外周縁Ａから前記熱接着部70を乗り越えて開口部側へ至り、さらに前記易剥離性熱接着性接着層52の一方の端縁52ｈを横切って開口部の内方へ向かい、その後、前記易剥離性熱接着性接着層52の他方の端縁52ｋを横切ると共に前記熱接着部70を乗り越えて前記易剥離性熱接着性接着層52の他方の端縁52ｋの外側の前記蓋材の外周縁Ｂに戻る略くの字状の切刃６が形成されている。
【００１４】
次に、このように構成された蓋材１を備えた容器60の使用方法について説明する。容器60に収納されたスナック食品等を食する場合、まず、蓋材１の開封用摘まみ突片11を手指で摘んで捲り上げると熱接着部70の易剥離性熱接着性接着層52を設けた部分が剥離すると共に、熱接着性樹脂層51を設けた部分は強固に接着しているために、前記易剥離性熱接着性接着層52の両端縁52ｈ、52ｋの前記蓋材１の外周縁に切目が入る。たとえば、表面層２が紙層のみの場合には、この切目は蓋材１の全層にわたり、さらに捲り上げるとこの切目は切刃６に達し、その後は切刃６に沿って進み、最終的には切刃６の形状に開封用摘まみ突片11を含む蓋材１が切り取られ、図５に示すように蓋材１に内容物を取り出すための適当な大きさの取り出し口12が形成される。また、表面層２が紙層と該紙層上に設けた合成樹脂製フィルム等からなる場合には、この切目は紙層まで入り、さらに捲り上げるとこの切目は紙層の層間ないし紙層と隣接する層の層間を進んで切刃６に達し、その後は切刃６に沿って進み、最終的には切刃６の形状に開封用摘まみ突片11を含む蓋材１が切り取られ、図５に示すような取り出し口12が形成される。そして、この取り出し口12を口にあてがうと共にこの取り出し口12が下側にくるように容器60を傾けることにより、内容物を手指で触ることなく直接に口の中に投入することができ、従来問題となっていた汚れた手指で内容物を摘んで食することによる不衛生問題、また、内容物に含まれる油や食塩等が手指に付着して手指が汚れるといった問題、さらには、内容物に含まれる油や食塩等で汚れた手指を衣類等で拭くことにより衣類を汚し清潔さが損なわれるといった問題を防止することができる。
【００１５】
次に、前記蓋材１の代表的な層構成例としては、たとえば、図２に示す前記表面層２を84.9g/m2の片アート紙、あるいは、12μｍの２軸延伸ポリエチレンテレフタレートフィルムと84.9g/m2の片アート紙を周知のドライラミネーション法で積層した積層体を用い、前記接着層３を15μｍの低密度ポリエチレン、前記熱接着層５の内で前記熱接着樹脂層51を20μｍの低密度ポリエチレン、前記易剥離性熱接着性接着層52を６g/m2ドライのＥＭＡＡ系ヒートシール剤〔中央理化工業（株）アクアテックスAC-3100 〕を用いたものなどを挙げることができる。
【００１６】
また、前記蓋材１と対応する容器本体61の代表的な一実施例としては、図６に示すように胴材と底材とを用いてリッセン社製、ヘラウフ社製等の周知のカップ成型機でカップ状に成型され、開口部の上縁は胴材を外側にカールさせて形成されたカールフランジ部62を有するものを挙げることができる。このものは、前記カールフランジ部62の上縁を熱接着部70として蓋材１と熱接着される。
【００１７】
上記カップ成型機で成型される前記容器本体61を形成する胴材ないし底材としては、光や酸素ガス、水蒸気ガス等による内容物の品質の劣化を防止するためにアルミニウム箔が構成素材として用いられ、たとえば、カップ原紙／低密度ポリエチレン／アルミニウム箔／低密度ポリエチレンの層構成からなる積層体を用いて成型されたものは、代表的な層構成例として挙げた蓋材１と少なくとも対応する本発明の容器60とすることができる。なお、カップ成型機で成型される前記容器本体61を形成する胴材ないし底材は上記構成に限るものではない。また、前記容器本体61は、説明するための一実施例としてカップ成型機で成型したものを例示したにすぎず、たとえば、射出成型や圧空、真空等のシート成型等で成型されたものであっても構わない。しかし、いずれにしても、容器本体61の開口部の上縁の表出面に設ける熱接着性樹脂層と、蓋材１に設ける熱接着層５のうち、熱接着性樹脂層51とは互いに相溶性があり、強固に熱接着されるものを選ぶ必要があり、また、容器本体61の開口部の上縁の表出面に設ける熱接着性樹脂層と、蓋材１に設ける熱接着層５のうち、易剥離性熱接着性接着層52とは剥離可能な程度に接着するものを適宜選択すればよい。
【００１８】
また、図示はしないが、前記蓋材１の易剥離性熱接着性接着層52の両端縁52ｈ、52ｋ、ないし、該両端縁52ｈ、52ｋの両内側近傍の前記蓋材の外周縁に切目ないし切欠を形成することにより、一層容易に取り出し口を設けることができる。切目としては、たとえば、Ｉ（アイ）字状ノッチ、切欠としては、たとえば、Ｖ字状切欠を代表的なものとして挙げることができる。
【００１９】
また、前記蓋材１の易剥離性熱接着性接着層52を設けた以外の前記熱接着性樹脂層51上の前記開封用摘まみ突片11側の前記易剥離性熱接着性接着層52の両端縁52ｈ、52ｋ外側近傍の前記熱接着部70を除く領域に前記易剥離性熱接着性接着層52を散点状に設けることにより前記蓋材１を束状にしても、偏肉のない束を得ることができ、前記蓋材１を容器本体61にスムーズに供給することができる。
【００２０】
【発明の効果】
本発明の容器は、今まで縷々説明したように、内容物を手指で触ることなく直接口の中に投入することができるように適度の大きさの開口を容易に形成することができる蓋材を備えた容器であって、従来問題となっていた汚れた手指で内容物を摘んで食することによる不衛生問題、また、内容物に含まれる油や食塩等が手指に付着して手指が汚れるといった問題、さらには、内容物に含まれる油や食塩等で汚れた手指を衣類等で拭くことにより衣類を汚し清潔さが損なわれるといった問題が生じることのない容器を提供することができるという優れた効果を奏するものである。
【図面の簡単な説明】
【図１】本発明にかかる容器の一実施例を示す概略斜視図である。
【図２】本発明にかかる容器に用いる蓋材の層構成図である。
【図３】本発明にかかる容器に用いる蓋材の裏側から見た平面図である。
【図４】図１を蓋側から見た図である
【図５】本発明にかかる容器の使用時の説明図である。
【図６】本発明にかかる容器に用いる容器本体の一実施例を示す断面図である。
【符号の説明】
１                          蓋材
２                          表面層
３                          接着層
４                          アルミニウム箔
５                          熱接着層
６                          切刃
11                          開封用摘まみ突片
12                          取り出し口
51                          熱接着性樹脂層
52                          易剥離性熱接着性接着層
60                          容器
61                          容器本体
62                          カールフランジ部
70                          熱接着部
【図１】
0004237875.tif 000002
【図２】
0004237875.tif 000003
【図３】
0004237875.tif 000004
【図４】
0004237875.tif 000005
【図５】
0004237875.tif 000006
【図６】
0004237875.tif 000007